(57)【要約】      （修正有）【課題】壁と柱を兼用可能とし十分な開放感を得ることができる耐力支持構成ユニット、および、これを強力に補強する補強兼用取付具を提供する。【解決手段】耐力支持構成ユニット１は、ジグザグ状の断面形状を有する形状として構成する。更には、この耐力支持構成ユニットを木製集成材４にて構成する。木製集成材４および耐力支持構成ユニット１の作製において、全ネジあるいはラグスクリュー５を用い、捻込み部分６の窪みを埋める化粧材を用いる。補強兼用取付具は、耐力支持構成ユニットのジグザグ状の端面を包摂する形状として構成する。更には、この補強兼用取付具に耐力支持構成ユニットのジグザグ状の端部に沿う突条のウエブを備える。【選択図】図１
0003234773.tif 000002
【実用新案登録請求の範囲】
【請求項１】
壁と柱を兼用可能とする建築用の耐力支持構成ユニットであって、ジグザグ状の断面形状を有するものである耐力支持構成ユニット。
【請求項２】
木製集成材にて構成したものである請求項１に記載の耐力支持構成ユニット。
【請求項３】
請求項１または請求項２のいずれかに記載の耐力支持構成ユニットに適用する補強兼用取付具であって、耐力支持構成ユニットのジグザグ状の端面を包摂する形状を有し、耐力支持構成ユニットを補強すると共に、上方建築要素または下方建築要素との取付け固定を容易可能とするものである補強兼用取付具。
【請求項４】
耐力支持構成ユニットのジグザグ状の端部に沿う突条のウエブを備えたものである請求項３に記載の補強兼用取付具。
【考案の詳細な説明】
【技術分野】
【０００１】  本考案は、壁と柱を兼用可能とする建築用の耐力支持構成ユニット、および、この耐力支持構成ユニットに適用する補強兼用取付具に関するものである。
より詳しくは、ジグザグ状の断面形状を有することにより、壁と柱を兼用可能とした耐力支持構成ユニット、および、この耐力支持構成ユニットのジグザグ状の端面を包摂する形状を有することにより、耐力支持構成ユニットを補強すると共に上方または下方の建築要素との取付け固定を容易可能とする補強兼用取付具に関するものである。
【背景技術】
【０００２】  建築物の構成要素である壁や柱は基本的には各々独立した要素であり、外壁や内壁は床や天井と共に建築物内部に部屋や通路などの空間を構成し、柱は主として建築物の自重を支えるものであり、それぞれに相応の存在感があるものである。
また、壁としての機能を有すると共に、建築物の自重を支える柱としての機能を兼ねるものとした耐力壁の類も利活用されている。このような耐力壁は、その機能上、耐力支持強度を増大するために厚さ寸法を大きくするほか、強度の高い材質や材料等を用いて構成することから、当然ながら一般に重厚なものとなる。【０００３】  しかしながら、例えば東屋風の建屋や屋外休憩所など、一定開放的であるべき簡易的な建築物に於いて、壁や柱を用いたり、あるいは柱を排して耐力壁を用いた場合には、その存在感や重厚感によって本来的に具備すべき爽快な開放感が損なわれてしまうという難点があった。
このため、耐力壁としての機能を有すると共に十分な開放感を得ることができる耐力支持構成材が切に要望されていた。
【考案の概要】
【考案が解決しようとする課題】
【０００４】  本考案は、上述したような現状に鑑みて成されたものであり、壁と柱を兼用可能とすると共に十分な開放感を得ることができる耐力支持構成ユニットを提供することを課題とするものであり、そして、この耐力支持構成ユニットの断面形状を外力に対抗して強く維持することができる強力な補強材を提供することを課題とするものである。
【課題を解決するための手段】
【０００５】  上記のような課題を解決するために、本考案の耐力支持構成ユニットは、壁と柱を兼用可能とする建築用の耐力支持構成ユニットであって、ジグザグ状の断面形状を有するものである。更には、この耐力支持構成ユニットを木製集成材にて構成したものである。
また、本考案の補強兼用取付具は、上記のような耐力支持構成ユニットに適用するものであって、耐力支持構成ユニットのジグザグ状の端面を包摂する形状を有し、耐力支持構成ユニットを補強すると共に上方建築要素または下方建築要素との取付け固定を容易可能とするものである。更には、この補強兼用取付具に耐力支持構成ユニットのジグザグ状の端部に沿う突条のウエブを備えたものである。
【考案の効果】
【０００６】  本考案の耐力支持構成ユニットは、このような構成としたことにより壁と柱を兼用可能とすると共に十分な開放感を得ることができる。即ち、ジグザグ状の断面形状とすることにより断面効果を著しく増大させることができ、厚さ寸法を大きくしたり強度の高い材質や材料等を用いることなく大きな耐力支持強度と耐座屈強度を得ることができる。また、単一平面の壁に比して総体的な巾寸法が著しく短縮されることにより、視界が開け人流の動線も豊富となり十分な開放感を得ることができる。そして、この耐力支持構成ユニットを木製集成材にて構成した場合には、製造や運搬および建付けが容易となると共に、木質の風合いによる柔らかく温かい感触を得ることができる。
本考案の補強兼用取付具は、耐力支持構成ユニットのジグザグ状の端面を包摂する形状を有することにより、耐力支持構成ユニットのジグザグ状の断面形状を外力に対抗して強く維持することができ強力な補強材となる。また、耐力支持構成ユニットのジグザグ状の端面に当接する領域以外の領域を利用することにより、上方建築要素または下方建築要素との取付け固定を容易可能とすることができる。そして、この補強兼用取付具に耐力支持構成ユニットのジグザグ状の端部に沿う突条のウエブを備えた場合には、耐力支持構成ユニットとの結合を強めることができると共に、補強兼用取付具自身の剛性を高めることができ、更に強力な補強力が得られる補強材とすることができる。
【図面の簡単な説明】
【０００７】
【図１】  本考案の耐力支持構成ユニットの実施例を示す斜視図である。
【図２】  本考案の耐力支持構成ユニットと補強兼用取付具の実施例を示す斜視図である。
【図３】  本考案の耐力支持構成ユニットと補強兼用取付具の他の実施例を示す斜視図である。
【図４】  （ａ）、（ｂ）、（ｃ）、（ｄ）は、それぞれ本考案の補強兼用取付具の各種実施例を示す概略断面図である。
【図５】  （ａ）は本考案の耐力支持構成ユニットを構成する木製集成材の実施例を示す正面図であり、（ｂ）は孔明き高ナットを示す斜視図である。
【図６】  （ａ）は本考案の耐力支持構成ユニットを構成する木製集成材の他の実施例を示す斜視図であり、（ｂ）はコーナーピンとナットを示す斜視図である。
【図７】  （ａ）は本考案の耐力支持構成ユニットを構成する木製集成材の別の実施例を示す斜視図であり、（ｂ）はセンターピンとボルトを示す斜視図である。
【図８】  （ａ）は本考案の耐力支持構成ユニットを構成する木製集成材の別の実施例を示す斜視図であり、（ｂ）はセンターピンとボルトを示す斜視図である。
【図９】  本考案の耐力支持構成ユニットの使用状態を示す斜視図である。
【図１０】  本考案の耐力支持構成ユニットの他の使用状態を示す斜視図である。
【考案を実施するための最良の形態】
【０００８】
【実施例】
【０００９】  本考案の実施例を以下、図面に基づいて説明する。尚、各図において共通する部分には同一の符号を付し重複する説明は省略する。
図１は本考案の耐力支持構成ユニット１を示す斜視図であり、木製の角柱材２と板材３を順次連ねた木製集成材４を基本構成要素として複数を組合わせて構成したものである。耐力支持構成ユニット１は、このように木製集成材４をジグザグ状に繰返し連続させたものとなっており、その断面および端面の形状もジグザグ状となっている。
このため、断面効果を著しく増大させることができ、厚さ寸法を大きくしたり強度の高い材質や材料等を用いることなく大きな耐力支持強度と耐座屈強度を得ることができる。また、単一平面の壁に比して総体的な巾寸法が著しく短縮されることにより、視界が開け人流の動線も豊富となり十分な開放感を得ることができる。更には、床面等に載置すれば自立する形状であることから、運搬や保管に於いて扱い易く、特に建付け作業に於いては作業性に優れたものとなる。
尚、以上および以下の記述に於いて「ジグザグ状」とは、このように略「く」字形状を連続させた形状を意味する用語として用いるものであり、この実施例に於いては略「く」字形状を２つ連続させた略「Ｗ」字形状となっている。連続させる数については、２つに限らず用途や条件などに対応して適宜に設定することができる。
木製集成材４および耐力支持構成ユニット１の作製に於いては、全ネジあるいはラグスクリュー５を用い、捻込み部分６の窪みを埋める化粧材７を用いるのが好適である。８は全ネジあるいはラグスクリュー５の下穴である。
本考案の耐力支持構成ユニットは木製集成材４以外にも、例えばコンクリート製板材や各種積層材その他も利用可能であるが、特に木製集成材４とした場合には数々の利点があり好適である。即ち、木製集成材の場合、作製に於いては全ネジあるいはラグスクリュー５を用いて容易であり、運搬に於いては軽量であるため低コストであり、建付け作業に於いては軽量で木製であるため作業性に優れている。また、工場等での作製は元より現場での作製も容易可能である。
このような木製集成材の樹種としては、スギ、カラマツ、ヒノキ、アカマツなどのほか種々の樹木が使用される。比較的細い樹木も利用できることもあり、森林資源の活用、特に国産材の利用促進や環境対策としての二酸化炭素の大量固定という観点からも注目されてきている。【００１０】  図２は本考案の耐力支持構成ユニット９と補強兼用取付具１０を示す斜視図である。補強兼用取付具１０は金属製の板材にて構成したものであり、耐力支持構成ユニット９のジグザグ状の端面を包摂する形状となっている。補強兼用取付具１０にはボルト穴１１を設け、耐力支持構成ユニット９の端面にはボルト下穴１２を設け、コーチスクリューなどのボルト１３にて互いに組付けると共に、上方建築要素である梁材や天井材または下方建築要素である土台や床材に取付固定できるようになっている。このように、補強兼用取付具１０は耐力支持構成ユニットのジグザグ状の断面形状を外力に対抗して強く維持することができ強力な補強材となると共に、耐力支持構成ユニットのジグザグ状の端面に当接する領域以外の領域を有しており、この領域を利用して上方建築要素や下方建築要素に容易に取付固定することができるものである。
尚、以上および以下の記述に於いて「包摂する形状」とは、耐力支持構成ユニット９の端面全てを含み包囲する単純な図形形状を意味する用語として用いるものであり、この実施例の場合は耐力支持構成ユニット９の略「Ｗ」字状の端面全てを含み包囲する単純な図形形状として、補強兼用取付具１０は略台形状の形状となっている。また、より単純な図形形状である長方形とすることも可能であり、その場合には上方建築要素や下方建築要素に取付固定する領域が増大すると共に、補強兼用取付具自身の剛性も増大するため好適である。【００１１】  図３は本考案の耐力支持構成ユニット１４と補強兼用取付具１５を示す斜視図である。補強兼用取付具１５は、図２に示す実施例の補強兼用取付具１０に加えて、更に耐力支持構成ユニット１４のジグザグ状の端部に沿う突条のウエブ１６を備えたものである。耐力支持構成ユニット１４の端面にはジグザグ状の凹溝１７を設け、凹溝１７にウエブ１６を嵌合しドリフトピン１８を用いて組付けるようになっている。１９および２０は各々ドリフトピン１８用のピン孔である。
このような構成としたことにより、補強兼用取付具１５は耐力支持構成ユニット１４との結合を強めることができると共に、補強兼用取付具１５自身の剛性を高めることができることから、更に強力な補強力が得られる補強材とすることができる。【００１２】  図４は本考案の補強兼用取付具の各種実施例を示す概略断面図である。（ａ）は図３に示した実施例と同一のものであるが、（ｂ）はウエブを耐力支持構成ユニットの一方側に配したものであり、（ｃ）はウエブを耐力支持構成ユニットの他方側に配したものであり、（ｄ）はウエブを耐力支持構成ユニットの一方側と他方側の両方に配したものである。
このような構成とすることにより、補強兼用取付具と耐力支持構成ユニットとの結合を容易とすることができたり、更に強力な補強力が得られたり、補強兼用取付具自身の剛性を更に高めることができる。【００１３】  図５（ａ）は本考案の耐力支持構成ユニットを構成する木製集成材４の実施例を示す正面図であり、木製の角柱材２と板材３を順次連ねる全ネジあるいはラグスクリュー５を孔明き高ナット２１に貫通させ、この孔明き高ナット２１に全ネジ５を螺号することにより上方建築要素または下方建築要素に取付固定するものである。図５（ｂ）は孔明き高ナットを示す斜視図である。【００１４】  図６（ａ）は本考案の耐力支持構成ユニットを構成する木製集成材４の他の実施例を示す斜視図であり、木製の角柱材２と板材３を順次連ねる全ネジあるいはラグスクリュー５の一端をコーナーピン２２に螺号し、他端にナット２３を螺号させることにより角柱材２と板材３を一層強力に組付けるものである。図６（ｂ）はコーナーピン２２とナット２３を示す斜視図である。【００１５】  図７（ａ）は本考案の耐力支持構成ユニットを構成する木製集成材４の別の実施例を示す斜視図であり、木製の角柱材２と板材３を順次連ねる全ネジあるいはラグスクリュー５の略中央をセンターピン２４に貫通させ、このセンターピン２４にボルト２５を側方から螺号することにより、木製集成材４を側方の建築要素に取付固定するものである。図７（ｂ）はセンターピン２４とボルト２５を示す斜視図である。【００１６】  図８（ａ）は本考案の耐力支持構成ユニットを構成する木製集成材４の別の実施例を示す斜視図であり、木製の角柱材２と板材３を順次連ねる全ネジあるいはラグスクリュー５の略中央をセンターピン２４に貫通させ、このセンターピン２４にボルト２６を上方または下方から螺号することにより、木製集成材４を上方建築要素または下方建築要素に取付固定するものである。図８（ｂ）はセンターピン２４とボルト２６を示す斜視図である。【００１７】  図９は本考案の耐力支持構成ユニット１の使用状態を示す斜視図であり、平面視正方形の建築物２７の４ヵ所の各角部に耐力支持構成ユニット１を配置して用いたものである。２８は上方建築要素である屋根であり、２９は下方建築要素である土台である。
図１０は本考案の耐力支持構成ユニット１の他の使用状態を示す斜視図であり、平面視正方形の建築物３０の対向する２辺の各両端部に耐力支持構成ユニット１を配置して用いたものである。
このような構成とすることにより、例えば東屋風の建屋や屋外休憩所など、一定開放的であるべき簡易的な建築物に於いて、視界が開け風通しも良く人流の動線も豊富となり、本来的に具備すべき爽快で十分な開放感を得ることができる。また、これまでにない意匠であることに加えて、特に耐力支持構成ユニット１を木製集成材にて構成した場合には、木質の風合いによる柔らかく温かい感触を得ることができる。【００１８】  尚、上述の各実施例に於いて、木製集成材４の構成については木製の角柱材２と板材３を順次連ねるものとしたが、これに限らず各種形状の木製要素を複数連ねる構成とすることも可能であるほか、その端面も平面状に限らず取付固定する建築要素の形状に合わせることも可能である。また、各種の補強兼用取付具については平面状の金属製板材を用いるものとしたが、これに限らず平面状ではなく何らかの凹凸や曲面を有する形状としたり、金属以外にも何らかの別の素材を用いたり、ブロック状のものとすることも可能である。そして、耐力支持構成ユニット１を使用した建築物については平面視正方形のものとしたが、これに限らず長方形、多角形、円形、クランク形、あるいは長い通路形など、様々な形状の建築物に使用することも可能である。【００１９】
【産業上の利用可能性】
【００２０】  本考案の耐力支持構成ユニットおよび補強兼用取付具は、以上の説明の如き内容のものであり、様々な建築物に於いて利用可能であるが、特に東屋風の建屋や屋外休憩所などのように一定開放的であるべき簡易的な建築物に用いて好適なものである。
また、他にも例えば案内所、待合所、売店、飲食テラス、展示ブース、ショウルーム、駐輪場、屋上テラス、等々に用いても好適である。このように、視界が開け風通しも良く人流の動線も豊富であり爽快で十分な開放感を得ることができる特性を活かして、種々の用途に利活用されることが期待できるものである。
更に、壁と柱を兼用可能とする機能を有しつつ、壁でも柱でもない独自性のある形状は意匠的にも興趣豊かであり、建築デザインに於いて様々に用いられることが期待できるものである。
【符号の説明】１、９、１４  …  耐力支持構成ユニット
４            …  木製集成材
１０、１５    …  補強兼用取付具
１６          …  ウエブ
２８          …  上方建築要素（屋根）
２９          …  下方建築要素（土台）
【図１】
0003234773.tif 000003
【図２】
0003234773.tif 000004
【図３】
0003234773.tif 000005
【図４】
0003234773.tif 000006
【図５】
0003234773.tif 000007
【図６】
0003234773.tif 000008
【図７】
0003234773.tif 000009
【図８】
0003234773.tif 000010
【図９】
0003234773.tif 000011
【図１０】
0003234773.tif 000012